(57)【要約】【課題】  錠前としての安全性を高ると共に、作動が確実で、しかもコストダウンを図ることができる破錠防止装置を提供する。【解決手段】  ハンドル錠１において、モータ２２の回転出力軸に、横断面円形の棒状体である案内部材２３を同軸に装着し、この案内部材にらせん状の疎巻コイルばね２４を案内部材２３の長さ方向に移動可能に巻装すると共に、案内部材の外周面の長さ方向における中央部に、ばねのピッチ間隙を遊動できる単一の突起２５を突設し、上記疎巻コイルばねの両端を外方に延出させた作動装置を設け、一方、上記案内部材とほぼ平行で、ハンドル筒部に係脱可能に設けられたロックピース２６に上記作動装置のばねの延出部分を係合させる。【選択図】  図３
2010106547.tif 000002
【特許請求の範囲】
【請求項１】
一端が開口したカップ状で、シリンダ錠を開口端部に固定した筒部及び筒部の開口端縁に一体に形成された把手部よりなるハンドルと、ハンドルを突出入可能に収容する錠ケースと、ハンドルを突出位置に向け付勢させるために錠ケース内に設けた押しばねと、ハンドルを錠ケース内に没入した状態でこれを固定することができると共に、シリンダ錠を合鍵によって解錠した後、内筒を所定の方向に回動させることによりハンドルを解放するように構成されたラッチ部とを有するハンドル錠において、正、逆転できるモータの回転出力軸に、横断面円形の棒状体である案内部材を同軸に装着し、この案内部材にらせん状の疎巻コイルばねを案内部材の長さ方向に移動可能に巻装すると共に、案内部材の外周面の長さ方向における中央部に、ばねのピッチ間隙を遊動できる単一の突起を突設し、上記疎巻コイルばねの両端を案内部材の半径方向における外方に延出させた作動装置を、上記錠ケースの外側に、かつ案内部材が錠ケースの中心軸に垂直になるような位置関係で配設し、一方、上記案内部材とほぼ平行なロックピースを案内部材の長さ方向に移動可能に案内すると共に、その錠ケースに対向する側の一端に形成した係合爪を、錠ケースを貫通して、ハンドルの筒部外周面に形成された錠止凹部に係合可能に臨ませ、他方、上記作動装置のばねの延出部分をロックピースに係合させ、モータを正、逆転させることにより、作動装置のばねを介してロックピースをハンドルの錠止凹部に係脱させるようにしたことを特徴とするハンドル錠の破錠防止装置。
【発明の詳細な説明】
【技術分野】
【０００１】
この発明は、自動販売機のポップアップ式のハンドル錠の破錠防止装置（以下単に破錠防止装置という）に係り、特に、例えば暴力的な破錠等の不正解錠を完全に防止でき、錠前としての安全性を高ると共に、作動が確実で、しかもコストダウンを図ることができる破錠防止装置に関する。
【背景技術】
【０００２】
自動販売機のハンドル錠の構造は、例えば後記特許文献１、２及び４に記載されていてそれ自体周知である。
【特許文献１】特開平０９−１５１６３０号公報
【特許文献２】特開２００２−０７０３８９
【特許文献３】特許第３９６３９８１号の特許公報
【特許文献４】特開平０７−０７６９６１号公報
【発明の開示】
【発明が解決しようとする課題】
【０００３】
しかしながら、ハンドル錠は、特許文献１に記載されているように、暴力的な手法によりシリンダ錠を抜かれると容易に破錠されてしまい、この場合、シリンダ錠を抜いた穴から工具等を差し入れ、或いは直接手指で操作することにより内部機構を操作すればハンドルをポップアップできるという不都合がある。
【０００４】
これを防止するため、上記特許文献２に記載された扉の錠装置は、ハンドル錠の錠止機構に加え、所謂電気錠を併設し、この電気錠を解錠しないとハンドルがポップアップできないように構成されている。
【０００５】
電気錠は、例えばテンキー等の暗証番号入力装置を破壊しても電気錠を解錠することができないので、これをハンドル錠に併設した場合、例えシリンダ錠をハンドルから抜いてもハンドルをポップアップさせることができず、したがってハンドル錠の錠前としての安全性が格段に向上する。
【０００６】
しかしながら、上記特許文献２に記載された電気錠は、電磁アクチュエータとしてソレノイドを採用しているので、ソレノイド自体が比較的高価であることから破錠防止装置のコストダウンを図ることが困難である。
【０００７】
また、プランジャをコイルばねにより常時施錠方向に付勢している関係で、解錠方向にソレノイドを駆動するとき大電流を必要とするばかりでなく、ソレノイドへの通電を断つと施錠してしまうので、解錠時長時間通電しなければならず、制御回路が複雑である、等未だ改良の余地がある。
【０００８】
本願発明は、出願人が開発した新規な作動装置を電磁アクチュエータとして採用することにより、破錠防止装置の構造を簡単にすると共に作動の確実性を向上させ、更に、コストダウンを図ることを目的としている。
【課題を解決するための手段】
【０００９】
上記の目的を達成するため、請求項１に記載の発明は、一端が開口したカップ状で、シリンダ錠を開口端部に固定した筒部及び筒部の開口端縁に一体に形成された把手部よりなるハンドルと、ハンドルを突出入可能に収容する錠ケースと、ハンドルを突出位置に向け付勢させるために錠ケース内に設けた押しばねと、ハンドルを錠ケース内に没入した状態でこれを固定することができると共に、シリンダ錠を合鍵によって解錠した後、内筒を所定の方向に回動させることによりハンドルを解放するように構成されたラッチ部とを有するハンドル錠において、モータの回転出力軸に、横断面円形の棒状体である案内部材を同軸に装着し、この案内部材にらせん状の疎巻コイルばねを案内部材の長さ方向に移動可能に巻装すると共に、案内部材の外周面の長さ方向における中央部に、ばねのピッチ間隙を遊動できる単一の突起を突設し、上記疎巻コイルばねの両端を案内部材の半径方向における外方に延出させた作動装置を、上記錠ケースの外側に、かつ案内部材が錠ケースの中心軸に垂直になるような位置関係で配設し、一方、上記案内部材とほぼ平行なロックピースを案内部材の長さ方向に移動可能に案内すると共に、その錠ケースに対向する側の一端に形成した係合爪を、錠ケースを貫通して、ハンドルの筒部外周面に形成された錠止凹部に係合可能に臨ませ、他方、上記作動装置のばねの延出部分をロックピースに係合させ、モータを正、逆転させることにより、作動装置のばねを介してロックピースをハンドルの錠止凹部に係脱させるようにしたことを特徴とする。
【発明の効果】
【００１０】
上記のように構成されたこの発明による破錠防止装置は、電気錠の電磁アクチュエータとして例えば玩具用の直流モータを採用することができるので、作動装置の構造が簡単であることとも相俟て、破錠防止装置としてのコストダウンを図ることができる。
【００１１】
また、モータの正転、逆転を電気錠の施錠、解錠に対応させると共に、施錠、解錠状態を維持するために通電を必要としないので、作動の確実性を期待することができる。
【００１２】
更にまた、同じ理由により、モータの制御回路を簡単にでき、その分コストダウンを図ることができると共に、破錠防止装置としての信頼性を向上させることができる、等種々の効果を奏する。
【発明を実施するための最良の形態】
【００１３】
電気錠の電磁アクチュエータとして、正、逆転できるモータの回転出力軸に、横断面円形の棒状体である案内部材を同軸に装着し、この案内部材にらせん状の疎巻コイルばねを案内部材の長さ方向に移動可能に巻装すると共に、案内部材の外周面の長さ方向における中央部に、ばねのピッチ間隙を遊動できる単一の突起を突設し、上記疎巻コイルばねの両端を案内部材の半径方向における外方に延出させてロックピースに係合させた作動装置を採用したので、電気錠のコストダウン及び電気錠の錠前としての安全性の向上を図ることができるばかりでなく、破錠防止装置としての信頼性を向上させることができた。
【実施例１】
【００１４】
以下、図面を参照してこの発明の実施例を説明する。
図１乃至図３において符号１はハンドルを示し、このハンドル１は、一端（図２で下端）が開口したカップ状の筒部２と、この筒部の開口端部に一体に形成された把手部３（図１及び図３参照）とを有してなる。
【００１５】
但し、図１乃至図３においては、（図３において鎖線で示すシリンダ錠４を除いて）筒部２の開口端部に固定されるシリンダ錠は、図面を明瞭にするため図示を省略してある。
【００１６】
また、上記ハンドルの筒部２は、図２乃至図４に示すように、付番しないスリット（図４参照の下端部参照）付のカップ錠の錠ケース５に、軸線方向（図３で左右方向）に移動可能に、換言すれば、図３に実線で示す没入位置から図３に鎖線で示す突出位置の間を移動可能に収容されている。
【００１７】
一方、上記錠ケース５は、取付ビス６、６（図２及び図３参照）により、その開口端外周部に形成された付番しない段部を取付枠の開口段部に呼び付けられるようにして、取付枠７に固定されている。
【００１８】
また、ハンドル１を図３に実線で示す没入位置から鎖線で示す突出位置に向け付勢するため、錠ケース５の底部内面とハンドルの筒部２の底部外面との間に、断面が略凹字形のばね収納空間８が形成されている。
【００１９】
そして、上記ばね収納空間８内には、全体の形状が台形の圧縮コイルばねとしての図示しない押しばねが弾装されていて、ハンドル１を図３に鎖線で示す位置に突出する方向に付勢している。
【００２０】
このハンドル錠のハンドル１は、図３に示すシリンダ錠の施錠状態では、上記押しばねの弾力にも拘らず図３に示すような没入位置、すなわち、筒部２が完全に錠ケース５内に収容され、かつ、把手部３の外表面が取付枠７のそれと同一表面になる位置にある。
【００２１】
上記シリンダ錠の施錠時ハンドル１を図２及び３に示す没入位置に保持し、シリンダ錠を解錠した後内筒を所定の方向に回動したときハンドル１を解放し、持って押しばねの弾力によりハンドル１を図３に鎖線で示す位置に迄突出させるため、ハンドル筒部の底部に図４に示すようなラッチ部９が設けられている。
【００２２】
図示の実施例におけるラッチ部９は、図４に示すように、相互に回り止めを施された状態で軸線方向（図４で紙面の厚さ方向）に相対移動可能に嵌合するハンドル筒部２及び錠ケース５の内端部（図３参照）を共通に貫通する断面Ｌ字形のデッドボルト１１により、シリンダ錠の施錠時ハンドル筒部２を錠ケース５に錠止する。
【００２３】
また、上記デッドボルト１１の短辺部（図４で右端部）をデッドボルトの頭部としたとき、デッドボルト１１の頭部に対向する側に斜面を備えた角柱状のばね受け１２が配設されており、このばね受け１２の斜面部はハンドル筒部を貫通して錠ケース５の内周面に母線に沿って形成された長いガイド溝１４（図４参照）に摺動可能に係合している。
【００２４】
更にまた、ばね受けの内端部に形成されたばね受け孔１４に一端を保持され、このばね受け孔の底面とデッドボルト１１の頭部との間に弾装された圧縮コイルばねとしての図示しないデッドばねの弾力により、デッドボルト１１は図４で左方に付勢されている。
【００２５】
このデッドボルト１１及びばね受け１２の組は、図４では図示を省略してあるが、ハンドル筒部２の中心軸線に関して対称的に一対設けられている。
【００２６】
上記した構造によれば、デッドボルト１１は図４に示す位置より更に外方に位置する筈であるが、図示の実施例におけるラッチ部においては、ハンドル筒部２の内筒底部に回動可能に保持された係止カム１５（図３及び図４参照）により図４に示す位置にあって、ハンドル筒部２を錠ケース５に係止している。
【００２７】
上記係止カム１５は、図５及び図６に示すように、ハンドル筒部２の軸線方向における外端（図６で右端）に円形のフランジを、内端に扇形のフランジ及び扇形の切欠１６を夫々形成した部材である。
【００２８】
上記係止カム１５の切欠１６には、図３に示すように、解錠カム１７が係合しているので、係止カム１５はこの解錠カム１７を介してシリンダ錠の内筒に一体的に連結されている。
【００２９】
ちなみに、上記解錠カム１７は、図７及び図８に示すように、中央に小判形の連結孔１８を開口させた厚板円盤の裏面側に、円盤に対する投影形状が扇形の一対の係合突起１９、１９を一体に突設したもので、上記連結孔１８にシリンダ錠の内筒の断面小判形の図示しないテールピースを嵌合させることによりシリンダ錠に一体的に連結されている。
【００３０】
また、解錠カム１７は、上記係合突起１９を係止カム１５の対応する切欠１６に係合させることにより係止カムに連結されていることは上記した通りである。
【００３１】
そして、自動販売機の扉を開けて内側に商品を充填したり、コイン箱から金銭を回収するためハンドル錠をポップアップするときには、先ずシリンダ錠に合鍵を挿入してシリンダ錠を解錠し、更に合鍵を所定の方向に回動させることにより、解錠カム１７及びこれに連結された係止カム１５が図４において時計方向に回動する。
【００３２】
すると、デッドボルト１１が図示しない上記デッドばねの弾力に抗してデッドボルト１１の頭部をばね受け１２に近接する方向に移動させる結果、デッドボルトの頭部とは反対側の脚部が錠ケース５の付番しない係止孔から抜去され、ハンドル１が自由になり、また、前記図示しない押しばねの弾力によりハンドルの把手部３が図３で鎖線で示す位置にまで突出する（ポップアップする）。
【００３３】
なお、ポップアップしたハンドルを錠ケース５或いは取付枠７に収容する（押込む）には、シリンダ錠に合鍵を差込んでこれを解錠方向に回動させ、図４で係止カム１５を時計方向に回動させてデッドボルト１１の脚部をハンドル筒部２内に引っ込めた状態でハンドルを錠ケース或いは取付枠内に押込むようにする。
【００３４】
また、ハンドル錠のラッチ部は、上記した構成のものに限定されることなく、例えば前記特許文献１、２及び４に示すもの、或いはその他のものを採用することができる。
【００３５】
一方、ハンドル１の下方における取付枠７内には、図３に示すように、作動装置２１が配設されている。
【００３６】
この作動装置２１は、正、逆回転できるモータ２２の回転出力軸に横断面円形の棒状体である案内部材２３を同軸に装着し、この案内部材２３にらせん状の疎巻コイルばね２４を案内部材２３長さ方向に移動可能に巻装してある。
【００３７】
また、案内部材２３の外周面の長さ方向における中央部に、コイルばね２４のピッチ間隙を遊動できる単一の突起２５を突設している。
【００３８】
更にまた、コイルばね２４の両端を案内部材２３の半径方向における外方に延出させ、この延出部分をロックピース２６に係合させている。
【００３９】
なお、上記作動装置の構成及び作用については、前記特許文献３に記載されているから、更に詳細な説明は省略する。
【００４０】
ちなみに、図示の実施例におけるロックピース２６は、図９及び図１０に示すように、全体の形状が凸字形の厚板材で、上記案内部材２３とほぼ平行な位置関係で、案内部材２３の長さ方向に移動可能に案内されると共に、その錠ケース５に対向する側の一端に形成した係合爪２７を、錠ケース５を貫通して、ハンドルの筒部２の外周面に形成された図示しない錠止凹部に係合可能に臨ませている。
【００４１】
そして、上記コイルばね２１の延出部分を、ロックピース２６の中央部に長さ方向（図９で上下方向）に沿って形成された案内長孔２８に遊動可能に係合させている。
【００４２】
ロックピース２６を上記のように構成することにより、作動装置のモータ２２の正、逆何れの方向の回動に対しても、コイルばね２４の延出部分が案内長孔２８中を移動する間はロックピース２６は動かず、モータ２２の回転数が定格に致り延出部分が案内長孔２８の一端に致る前後にモータへの通電を断つようにすると、モータ２２の回転子の慣性をコイルばねの延出部分の弾性変形という形態で吸収すると共に、上記延出部分の弾性変形が元に戻るときの弾力を利用してロックピースを駆動することができるので、ロックピース２６の作動を確実にすることができるばかりでなく、電磁アクチュエータとしてのモータの停止時のショックを減少させることができる。
【００４３】
なお、上記作動装置による電気錠の解錠は、前記シリンダ錠の合鍵によるポップアップに先立って行うこと、及び、電気錠の施錠は前記シリンダ錠の合鍵によるハンドルの押込みの後に行うことは勿論である。
【００４４】
また、上記電気錠のモータに対する通電及び回転方向の設定の制御は、通常の電気錠におけると同様に、例えばテンキーによる暗証番号の設定とか、或いはＩＣカードを自動販売機の所定の箇所にかざすとかの種々の方法で行うことができる。
【図面の簡単な説明】
【００４５】
【図１】この発明の一実施例によるハンドル錠の要部正面図で、シリンダ錠を抜いた状態で示す。
【図２】その一部断面平面図、シリンダ錠を抜いた状態で示す。
【図３】その一部断面側面図、シリンダ錠を抜いた状態で示す。
【図４】ラッチ部の断面図。
【図５】係止カムの正面図。
【図６】係止カムの側面図。
【図７】解錠カムの平面図。
【図８】係止カムの背面図。
【図９】ロックピースの平面図。
【図１０】ロックピースの側面図。
【符号の説明】
【００４６】
１  ハンドル
２  筒部
３  把手部
４  シリンダ錠
５  錠ケース
６  取付ビス
７  取付枠
８  ばね収納空間
９  ラッチ部
１１  デッドボルト
１２  ばね受け
１３  ガイド溝
１４  ばね受け孔
１５  係止カム
１６  切欠
１７  解錠カム
１８  連結孔
１９  係合突起
２１  作動装置
２２  モータ
２３  案内部材
２４  コイルばね
２５  突起
２６  ロックピース
２７  係合爪
２８  案内長孔
【図１】
2010106547.tif 000003
【図２】
2010106547.tif 000004
【図３】
2010106547.tif 000005
【図４】
2010106547.tif 000006
【図５】
2010106547.tif 000007
【図６】
2010106547.tif 000008
【図７】
2010106547.tif 000009
【図８】
2010106547.tif 000010
【図９】
2010106547.tif 000011
【図１０】
2010106547.tif 000012